(57)【要約】      （修正有）【課題】コネクタの着脱によって負荷がヘッド本体や回路基板にかからないようにし、位置精度を向上させると共に、耐久性を向上させ、またインクジェットヘッドの仕様によっては、コネクタの位置を自由に変えることが可能である。【解決手段】インクを吐出するヘッド本体２と、このヘッド本体２を駆動するフレキシブル配線基板３とを備えるインクジェットヘッド１であり、フレキシブル配線基板３の信号線を配線した部分を延長させ、この延長部３ｂの先端に、延長部３ｂの延長方向でプリンタ本体側のコネクタ１１との着脱がなされるコネクタ６を設け、延長部３ｂを山折りと谷折りとの２回折り曲げした状態で、コネクタ６をプリンタ本体側のコネクタ１１に接続可能に構成した。【選択図】図１
2011005869.tif 000002
【特許請求の範囲】
【請求項１】
インクを吐出するヘッド本体と、このヘッド本体を駆動するフレキシブル配線基板とを備えるインクジェットヘッドであり、
前記フレキシブル配線基板の信号線を配線した部分を延長させ、この延長部の先端に、  前記延長部の延長方向でプリンタ本体側のコネクタとの着脱がなされるコネクタを設け、
前記延長部を山折りと谷折りとの２回折り曲げした状態で、前記コネクタをプリンタ本体側のコネクタに接続可能に構成したことを特徴とするインクジェットヘッド。
【請求項２】
前記フレキシブル配線基板は、前記ヘッド本体に接続されるヘッド接続部を有する面が前記ヘッド接続部から前記コネクタに至る間で山折りされた後に谷折りされた状態で、前記コネクタが設けられていることを特徴とする請求項１に記載のインクジェットヘッド。
【請求項３】
前記ヘッド本体、前記フレキシブル配線基板及び前記コネクタが配置されるケースを備え、
前記ケースに前記ヘッド本体、前記フレキシブル配線基板及び前記コネクタが２組ずつ配置され、この２組のフレキシブル配線基板は同一のフレキシブル配線基板であることを特徴とする請求項１又は請求項２に記載のインクジェットヘッド。
【発明の詳細な説明】
【技術分野】
【０００１】
この発明は、プリンタ本体に接続可能なインクジェットヘッドに関する。
【背景技術】
【０００２】
インクジェットヘッドには、プリンタ本体側にコネクタにより接続可能なものがあり、プリンタ本体側から信号を受けて駆動され、インクを吐出する。
【発明の開示】
【発明が解決しようとする課題】
【０００３】
このインクジェットヘッドのメンテナンスを行なう時等には、インクジェットヘッドのコネクタをプリンタ本体側のコネクタから取り外し、再度コネクタをプリンタ本体側のコネクタに接続してセットされるが、ヘッド本体、回路基板、コネクタがリジットに接続されているため、コネクタの着脱時にヘッド本体や回路基板に対して押圧力や引張力がかかり、位置ずれが生じる虞がある。また、ヘッド本体や回路基板に負荷がかかり、耐久性が低下する。
【０００４】
また、インクジェットヘッドの仕様によっては、コネクタの位置を変えてプリンタ本体側に接続する必要が生じるが、コネクタの位置を自由に変えて接続することができなかった。
【０００５】
この発明は、かかる点に鑑みてなされたもので、コネクタの着脱によって負荷がヘッド本体や回路基板にかからないようにし、位置精度を向上させると共に、耐久性を向上させることが可能なインクジェットヘッドを提供することを目的としている。
【０００６】
また、この発明は、インクジェットヘッドの仕様によっては、コネクタの位置を自由に変えることが可能なインクジェットヘッドを提供することを目的としている。
【課題を解決するための手段】
【０００７】
前記課題を解決し、かつ目的を達成するために、本発明は、以下のように構成した。
【０００８】
請求項１に記載の発明は、『インクを吐出するヘッド本体と、このヘッド本体を駆動するフレキシブル配線基板とを備えるインクジェットヘッドであり、前記フレキシブル配線基板の信号線を配線した部分を延長させ、この延長部の先端に、前記延長部の延長方向でプリンタ本体側のコネクタとの着脱がなされるコネクタを設け、前記延長部を山折りと谷折りとの２回折り曲げした状態で、前記コネクタをプリンタ本体側のコネクタに接続可能に構成したことを特徴とするインクジェットヘッド。』である。
【０００９】
請求項１に記載の発明によれば、コネクタの着脱によって負荷が折り曲げた延長部で逃がすことができ、インクジェットヘッドの位置精度を向上させると共に、耐久性を向上させることができる。
【００１０】
請求項２に記載の発明は、『前記フレキシブル配線基板は、前記ヘッド本体に接続されるヘッド接続部を有する面が前記ヘッド接続部から前記コネクタに至る間で山折りされた後に谷折りされた状態で、前記コネクタが設けられていることを特徴とする請求項１に記載のインクジェットヘッド。』である。
【００１１】
請求項２に記載の発明によれば、インクジェットヘッドを安価に製作することができる。
【００１２】
請求項３に記載の発明は、『前記ヘッド本体、前記フレキシブル配線基板及び前記コネクタが配置されるケースを備え、前記ケースに前記ヘッド本体、前記フレキシブル配線基板及び前記コネクタが２組ずつ配置され、この２組のフレキシブル配線基板は同一のフレキシブル配線基板であることを特徴とする請求項１又は請求項２に記載のインクジェットヘッド。』である。
【００１３】
請求項３に記載の発明によれば、インクジェットヘッドの仕様によっては、コネクタの位置を自由に変えることが可能である。
【図面の簡単な説明】
【００１４】
【図１】インクジェットヘッドをプリンタ本体側に接続した状態を示す図である。
【図２】フレキシブル配線基板の平面図である。
【図３】フレキシブル配線基板の延長部を折り曲げた状態の平面図である。
【図４】他の実施の形態のインクジェットヘッドをプリンタ本体側に接続した状態を示す平面図である。
【図５】他の実施の形態のインクジェットヘッドをプリンタ本体側に接続した状態を示す平面図である。
【発明を実施するための形態】
【００１５】
以下、この発明のインクジェットヘッドの実施の形態を挙げて説明するが、この発明の態様はこれに限定されない。
【００１６】
まず、この発明の実施の形態を、図１及び図２に基づいて説明する。図１はインクジェットヘッドをプリンタ本体側に接続した状態を示す図、図２はフレキシブル配線基板の平面図、図３はフレキシブル配線基板の延長部を折り曲げた状態の平面図である。
【００１７】
この実施の形態のインクジェットヘッド１には、インクを吐出する複数のヘッド本体２，２と、この複数のヘッド本体２，２を駆動する複数のフレキシブル配線基板３，３とが備えられ、これらはケース４内に配置されている。
【００１８】
複数のフレキシブル配線基板３，３には、駆動ＩＣ５，５が配置されている。この複数のフレキシブル配線基板３，３は、図２及び図３に示すように、同様に構成されるから、一方のフレキシブル配線基板３について説明する。
【００１９】
フレキシブル配線基板３は、主部３ａから信号線を配線した部分を延長させ、この延長部３ｂにコネクタ６を設け、主部３ａにヘッド接続部３ｃが設けられている。フレキシブル配線基板３のヘッド接続部３ｃをヘッド本体２に接続し、延長部３ｂを折り曲げ、この折り曲げた状態でコネクタ６をケース４に取付けてプリンタ本体１０側に接続可能に構成されている。
【００２０】
この実施の形態では、フレキシブル配線基板３の延長部３ｂを、その延長方向で折り曲げたから、簡単に延長部３ｂを折り曲げた状態にしてケース４に取付けることが可能で、インクジェットヘッド１を安価に製作することができる。      
【００２１】
このインクジェットヘッド１をプリンタ本体１０側に接続するときには、図１に示すように、インクジェットヘッド１のコネクタ６をプリンタ本体１０側のコネクタ１１に押し込んで接続する。また、インクジェットヘッド１のメンテナンスを行なう際には、インクジェットヘッド１のコネクタ６を引っ張ってプリンタ本体１０側のコネクタ１１から取り外す。
【００２２】
このコネクタ６，１１の着脱によって押圧力や引張力の負荷が生じるが、この負荷を折り曲げた延長部３ｂで逃がすことができ、ヘッド本体２側に伝達されることがないからインクジェットヘッド１の位置精度が向上すると共に、耐久性が向上する。延長部３ｂの折り曲げ回数は特に限定されないが、２回以上が負荷を折り曲げた延長部３ｂでより逃がすことができ好ましい。
【００２３】
図４は他の実施の形態のインクジェットヘッドをプリンタ本体側に接続した状態を示す平面図である。
【００２４】
この実施の形態では、フレキシブル配線基板３の延長部３ｂが、延長部３ｂの延長方向で一方へ偏位させて折り曲げており、コネクタ６の位置を一方へ偏位させて、プリンタ本体１０側に接続可能に構成されている。
【００２５】
図５は他の実施の形態のインクジェットヘッドをプリンタ本体側に接続した状態を示す平面図である。
【００２６】
この実施の形態では、フレキシブル配線基板３の延長部３ｂが、延長部３ｂの延長方向に対して角度を変えるように折り曲げて、プリンタ本体１０側に接続可能に構成され、インクジェットヘッド１の仕様によっては、コネクタ６の位置を自由に変えることが可能である。
【産業上の利用可能性】
【００２７】
この発明は、プリンタ本体に接続可能なインクジェットヘッドに適用可能であり、コネクタの着脱によって負荷がヘッド本体や回路基板にかからないようにし、位置精度を向上させると共に、耐久性を向上させ、またインクジェットヘッドの仕様によっては、コネクタの位置を自由に変えることが可能である。
【符号の説明】
【００２８】
１  インクジェットヘッド
２  ヘッド本体
３  フレキシブル配線基板
３ａ  主部
３ｂ  延長部
６  コネクタ
１０  プリンタ本体
【図１】
2011005869.tif 000003
【図２】
2011005869.tif 000004
【図３】
2011005869.tif 000005
【図４】
2011005869.tif 000006
【図５】
2011005869.tif 000007